【手続補正書】
【提出日】平成16年12月21日(2004.12.21)
【手続補正１】
【補正対象書類名】明細書
【補正対象項目名】発明の名称
【補正方法】変更
【補正の内容】
【発明の名称】画像処理方法、画像処理装置及び記憶媒体
【手続補正２】
【補正対象書類名】明細書
【補正対象項目名】特許請求の範囲
【補正方法】変更
【補正の内容】
【特許請求の範囲】
【請求項１】
原画像データに対し階調変換処理及び周波数処理を施す画像処理方法であって、
複数の直線に円を内接して前記階調変換処理に用いる階調変換曲線を生成する工程と、
前記原画像データに基づく高周波成分を生成する工程と、
前記階調変換曲線の微分値を用いて前記高周波成分の値を変更する工程と、
前記値を変更した高周波成分を用いて処理後の画像データを生成する工程とを備えることを特徴とする画像処理方法。
【請求項２】
前記高周波成分の値の変更は、前記階調変換曲線の微分値に基づいて変更されることを特徴とする請求項１記載の画像処理方法。
【請求項３】
前記高周波成分は、原画像データの平滑化画像を生成し、該平滑化画像を原画像データから減算することで生成されることを特徴とする請求項１又は２記載の画像処理方法。
【請求項４】
前記処理後の画像データは、前記階調変換処理後の画像データに前記変更された高周波成分を加算することで生成されることを特徴とする請求項１乃至３のいずれか１項に記載の画像処理方法。
【請求項５】
前記階調変換曲線を生成する工程において、それぞれが傾きの異なる少なくとも第１の直線及び第２の直線に円を内接することで、前記微分値連続な階調変換曲線を生成することを特徴とする請求項１記載の画像処理方法。
【請求項６】
前記階調変換曲線を生成する工程において、前記第１の直線及び第２の直線の何れかの直線の一定比率の点に円が内接するように、前記微分値連続な階調変換曲線を生成することを特徴とする請求項５記載の画像処理方法。
【請求項７】
前記階調変換曲線を生成する工程において、前記第１の直線及び第２の直線のうち、直線の長さが短いほうの直線、又は長いほうの直線の一定比率の点に円が内接するように、前記微分値連続な階調変換曲線を生成することを特徴とする請求項６記載の画像処理方法。
【請求項８】
前記階調変換曲線を生成する工程において、外部からの入力情報に基づいて、前記微分値連続な階調変換曲線を生成することを特徴とする請求項５記載の画像処理方法。
【請求項９】
原画像データに対し階調変換処理及び周波数処理を施す画像処理装置であって、
複数の直線に円を内接して前記階調変換処理に用いる階調変換曲線を生成する手段と、
前記原画像データに基づく高周波成分を生成する手段と、
前記階調変換曲線の微分値を用いて前記高周波成分の値を変更する手段と、
前記値を変更した高周波成分を用いて処理後の画像データを生成する手段とを備えることを特徴とする画像処理装置。
【請求項１０】
原画像データに対し階調変換処理及び周波数処理を施す画像処理方法をコンピュータに実行させるためのプログラムを記憶したコンピュータ読み取り可能な記憶媒体であって、
複数の直線に円を内接して前記階調変換処理に用いる階調変換曲線を生成する処理と、
前記原画像データに基づく高周波成分を生成する処理と、
前記階調変換曲線の微分値を用いて前記高周波成分の値を変更する処理と、
前記値を変更した高周波成分を用いて処理後の画像データを生成する処理とをコンピュータに実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えば、撮影画像に対して階調変換処理等の画像処理を行う、画像処理方法、画像処理装置及び記憶媒体に関するものである。
【手続補正４】
【補正対象書類名】明細書
【補正対象項目名】００３５
【補正方法】変更
【補正の内容】
【００３５】
そこで、本発明は、上記の欠点を除去するために成されたもので、階調変換処理に用いる階調変換曲線の傾き等を自在に調節可能とし、処理対象の画像に対して最適な階調変換曲線を取得可能とすることで、最適な画像処理を行うことができ、良好な画像を出力することができる画像処理方法、画像処理装置及び記憶媒体を提供することを目的とする。
また、本発明は、処理対象の画像の高周波成分の振幅を保持したまま、該画像の濃度分布の幅を自在に調節可能とすることで、最適な画像処理を行うことができ、良好な画像を出力することができる画像処理方法、画像処理装置及び記憶媒体を提供することを目的とする。
また、本発明は、偽輪郭等が発生しないクリッピング処理を実現可能とすることで、最適な画像処理を行うことができ、良好な画像を出力することができる画像処理方法、画像処理装置及び記憶媒体を提供することを目的とする。
【手続補正５】
【補正対象書類名】明細書
【補正対象項目名】００３６
【補正方法】変更
【補正の内容】
【００３６】
【課題を解決するための手段】
本発明の画像処理方法は、原画像データに対し階調変換処理及び周波数処理を施す画像処理方法であって、複数の直線に円を内接して前記階調変換処理に用いる階調変換曲線を生成する工程と、前記原画像データに基づく高周波成分を生成する工程と、前記階調変換曲線の微分値を用いて前記高周波成分の値を変更する工程と、前記値を変更した高周波成分を用いて処理後の画像データを生成する工程とを備えることを特徴とする。
【手続補正６】
【補正対象書類名】明細書
【補正対象項目名】００３７
【補正方法】変更
【補正の内容】
【００３７】
また、本発明の画像処理装置は、原画像データに対し階調変換処理及び周波数処理を施す画像処理装置であって、複数の直線に円を内接して前記階調変換処理に用いる階調変換曲線を生成する手段と、前記原画像データに基づく高周波成分を生成する手段と、前記階調変換曲線の微分値を用いて前記高周波成分の値を変更する手段と、前記値を変更した高周波成分を用いて処理後の画像データを生成する手段とを備えることを特徴とする。
【手続補正７】
【補正対象書類名】明細書
【補正対象項目名】００３８
【補正方法】変更
【補正の内容】
【００３８】
また、本発明の記憶媒体は、原画像データに対し階調変換処理及び周波数処理を施す画像処理方法をコンピュータに実行させるためのプログラムを記憶したコンピュータ読み取り可能な記憶媒体であって、複数の直線に円を内接して前記階調変換処理に用いる階調変換曲線を生成する処理と、前記原画像データに基づく高周波成分を生成する処理と、前記階調変換曲線の微分値を用いて前記高周波成分の値を変更する処理と、前記値を変更した高周波成分を用いて処理後の画像データを生成する処理とをコンピュータに実行させるためのプログラムを記憶したコンピュータ読み取り可能な記憶媒体である。
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００４３
【補正方法】削除
【補正の内容】
【手続補正１３】
【補正対象書類名】明細書
【補正対象項目名】００４４
【補正方法】削除
【補正の内容】
【手続補正１４】
【補正対象書類名】明細書
【補正対象項目名】００４５
【補正方法】削除
【補正の内容】
【手続補正１５】
【補正対象書類名】明細書
【補正対象項目名】００４６
【補正方法】削除
【補正の内容】
【手続補正１６】
【補正対象書類名】明細書
【補正対象項目名】００４７
【補正方法】削除
【補正の内容】
【手続補正１７】
【補正対象書類名】明細書
【補正対象項目名】００４８
【補正方法】削除
【補正の内容】
【手続補正１８】
【補正対象書類名】明細書
【補正対象項目名】００４９
【補正方法】削除
【補正の内容】
【手続補正１９】
【補正対象書類名】明細書
【補正対象項目名】００５０
【補正方法】削除
【補正の内容】
【手続補正２０】
【補正対象書類名】明細書
【補正対象項目名】００５１
【補正方法】削除
【補正の内容】
【手続補正２１】
【補正対象書類名】明細書
【補正対象項目名】００５２
【補正方法】削除
【補正の内容】
【手続補正２２】
【補正対象書類名】明細書
【補正対象項目名】００５３
【補正方法】削除
【補正の内容】
【手続補正２３】
【補正対象書類名】明細書
【補正対象項目名】００５４
【補正方法】削除
【補正の内容】
【手続補正２４】
【補正対象書類名】明細書
【補正対象項目名】００５５
【補正方法】削除
【補正の内容】
【手続補正２５】
【補正対象書類名】明細書
【補正対象項目名】００５６
【補正方法】削除
【補正の内容】
【手続補正２６】
【補正対象書類名】明細書
【補正対象項目名】００５７
【補正方法】削除
【補正の内容】
【手続補正２７】
【補正対象書類名】明細書
【補正対象項目名】００５８
【補正方法】削除
【補正の内容】
【手続補正２８】
【補正対象書類名】明細書
【補正対象項目名】００５９
【補正方法】削除
【補正の内容】
【手続補正２９】
【補正対象書類名】明細書
【補正対象項目名】００６０
【補正方法】削除
【補正の内容】
【手続補正３０】
【補正対象書類名】明細書
【補正対象項目名】００６１
【補正方法】削除
【補正の内容】
【手続補正３１】
【補正対象書類名】明細書
【補正対象項目名】００６２
【補正方法】削除
【補正の内容】
【手続補正３２】
【補正対象書類名】明細書
【補正対象項目名】００６３
【補正方法】削除
【補正の内容】
【手続補正３３】
【補正対象書類名】明細書
【補正対象項目名】００６４
【補正方法】削除
【補正の内容】
【手続補正３４】
【補正対象書類名】明細書
【補正対象項目名】００６５
【補正方法】削除
【補正の内容】
【手続補正３５】
【補正対象書類名】明細書
【補正対象項目名】００６６
【補正方法】削除
【補正の内容】
【手続補正３６】
【補正対象書類名】明細書
【補正対象項目名】００６７
【補正方法】削除
【補正の内容】
【手続補正３７】
【補正対象書類名】明細書
【補正対象項目名】００６８
【補正方法】削除
【補正の内容】
【手続補正３８】
【補正対象書類名】明細書
【補正対象項目名】００６９
【補正方法】削除
【補正の内容】